(57)【要約】      （修正有）【課題】チューブの押し上げによる重量の測定誤差を低減できる貯液バッグを提供する。【解決手段】貯液バッグ１００は、可撓性を有しており、液体１を貯留可能な貯液部１１０と、チューブ取付部１２０とを備えている。チューブ取付部１２０は、貯液部１１０と接続されるチューブ２０が取り付けられる。貯液部１１０は、貯液バッグ１００を吊り下げた状態において、上側に位置する上部領域１１１と、下側に位置してチューブ取付部１２０と隣接する下部領域１１２と、上部領域１１１と下部領域１１２とを互いに接続する狭窄領域１１３とを含んでいる。下部領域１１２の容積は、上部領域１１１の容積より小さい。狭窄領域１１３は、貯液バッグ１００を吊り下げた状態において、チューブ取付部１２０の上方に位置していない。【選択図】図１
2020058413.tif 000002
【特許請求の範囲】
【請求項１】
可撓性を有する貯液バッグであって、
液体を貯留可能な貯液部と、
前記貯液部と接続されるチューブが取り付けられるチューブ取付部とを備え、
前記貯液部は、前記貯液バッグを吊り下げた状態において、上側に位置する上部領域と、下側に位置して前記チューブ取付部と隣接する下部領域と、前記上部領域と前記下部領域とを互いに接続する狭窄領域とを含み、
前記下部領域の容積は、前記上部領域の容積より小さく、
前記狭窄領域は、前記貯液バッグを吊り下げた状態において、前記チューブ取付部の上方に位置していない、貯液バッグ。
【請求項２】
前記下部領域の容積は、前記上部領域の容積の１／２０以上１／３以下である、請求項１に記載の貯液バッグ。
【請求項３】
前記狭窄領域の最小幅は、前記上部領域の最大幅の１／１０以上２／３以下である、請求項１または請求項２に記載の貯液バッグ。
【発明の詳細な説明】
【技術分野】
【０００１】
本発明は、貯液バッグに関する。
【背景技術】
【０００２】
貯液バッグの構成を開示した先行文献として、特開平１０−２３３号公報(特許文献１)がある。特許文献１に記載された貯液バッグは、輸液を蓄えている。輸液は、輸液ポンプによって送り出される。貯液バッグの重量は、重量計によって測定されている。
【先行技術文献】
【特許文献】
【０００３】
【特許文献１】特開平１０−２３３号公報
【発明の概要】
【発明が解決しようとする課題】
【０００４】
従来の貯液バッグにおいては、貯液バッグの下部にチューブが取り付けられた状態で、重量計に吊り下げられて貯液バッグの重量が測定される。そのため、チューブが貯液バッグを押し上げる状態になったとき、重量計の測定値が小さくなり、貯液バッグの重量の測定誤差が生じる。
【０００５】
本発明は上記の問題点に鑑みてなされたものであって、チューブの押し上げによる重量の測定誤差を低減できる、貯液バッグを提供することを目的とする。
【課題を解決するための手段】
【０００６】
本発明に基づく貯液バッグは、可撓性を有しており、液体を貯留可能な貯液部と、チューブ取付部とを備えている。チューブ取付部は、貯液部と接続されるチューブが取り付けられる。貯液部は、貯液バッグを吊り下げた状態において、上側に位置する上部領域と、下側に位置してチューブ取付部と隣接する下部領域と、上部領域と下部領域とを互いに接続する狭窄領域とを含んでいる。下部領域の容積は、上部領域の容積より小さい。狭窄領域は、貯液バッグを吊り下げた状態において、チューブ取付部の上方に位置していない。
【０００７】
本発明の一形態においては、下部領域の容積は、上部領域の容積の１／２０以上１／３以下である。
【０００８】
本発明の一形態においては、狭窄領域の最小幅は、上部領域の最大幅の１／１０以上２／３以下である。
【発明の効果】
【０００９】
本発明によれば、チューブの押上げによる貯液バッグの重量の測定誤差を低減できる。
【図面の簡単な説明】
【００１０】
【図１】本発明の実施形態１に係る貯液バッグにおいて、チューブが貯液バッグから垂れ下がっている状態を示す斜視図である。
【図２】本発明の実施形態１に係る貯液バッグが、チューブによって押上げられた状態を示す斜視図である。
【図３】本発明の実施形態２に係る貯液バッグにおいて、チューブが貯液バッグから垂れ下がっている状態を示す斜視図である。
【図４】本発明の実施形態２に係る貯液バッグが、チューブによって押上げられた状態を示す斜視図である。
【図５】本発明の実施形態３に係る貯液バッグにおいて、チューブが貯液バッグから垂れ下がっている状態を示す斜視図である。
【図６】本発明の実施形態４に係る貯液バッグにおいて、チューブが貯液バッグから垂れ下がっている状態を示す斜視図である。
【発明を実施するための形態】
【００１１】
以下、本発明の各実施形態に係る貯液バッグについて図面を参照して説明する。以下の実施形態の説明においては、図中の同一または相当部分には同一符号を付して、その説明は繰り返さない。
【００１２】
（実施形態１）
図１は、本発明の実施形態１に係る貯液バッグにおいて、チューブが貯液バッグから垂れ下がっている状態を示す斜視図である。図１に示すように、本発明の実施形態１に係る貯液バッグ１００は、周縁部１０１と、貯液部１１０と、チューブ取付部１２０とを備えている。
【００１３】
本実施形態に係る貯液バッグ１００は、２枚のフィルムの各々の周縁を互いに溶着させることにより形成されている。周縁部１０１は、２枚のフィルムの各々が互いに溶着している部分である。
【００１４】
上記２枚のフィルムは、正面側フィルムと背面側フィルムとで構成されている。貯液バッグ１００の正面側には、正面側フィルムが配置されている。貯液バッグ１００の背面側には、背面側フィルムが配置されている。図１においては、正面側からみたときの貯液バッグ１００を図示している。
【００１５】
本実施形態においては、２枚のフィルムによって貯液バッグ１００が形成されているが、フィルムの数は２枚に限定されない。貯液バッグ１００は、１枚のフィルムが折り畳まれることによって形成されていてもよい。貯液バッグ１００は、底面側フィルムを含む３枚以上のフィルムによって形成されていてもよい。
【００１６】
フィルムの材料は、可撓性を有する材料であれば特に限定されない。フィルムは、たとえばポリ塩化ビニル(ＰＶＣ:polyvinyl chloride)、エチレンビニルアセテート樹脂(ＥＶＡ:ethylene-vinyl acetate) 、ポリエチレン(ＰＥ:polyethylene)、ポリプロピレン(ＰＰ:polypropylene)またはポリエチレンテレフタラート(ＰＥＴ:polyethylene terephthalate)で構成される。本実施形態に係る貯液バッグ１００は、これらの材料で構成されたフィルムで形成されることにより、可撓性を有している。
【００１７】
周縁部１０１には、被支持部１０２が設けられている。本実施形態において、被支持部１０２は、周縁部１０１を貫通する貫通孔である。図１に示すように、貯液バッグ１００が使用されるとき、被支持部１０２には支持部１０が取り付けられる。本実施形態においては、支持部１０の先端が、貫通孔である被支持部１０２に引っ掛けられている。このように、貯液バッグ１００は、支持部１０によって宙づりに吊り下げられた状態で支持されて使用される。
【００１８】
なお、被支持部１０２は、支持部１０によって吊り下げられるように支持されるものであれば、貫通孔に限定されない。支持部１０がクリップなどの挟持部材である場合、被支持部１０２は、支持部１０によって挟持可能な所定の厚みを有する部分であってもよい。
【００１９】
本実施形態においては、図１に示すように、被支持部１０２は、周縁部１０１のうち貯液部１１０の上側に位置する部分の、幅方向の略中央に位置している。なお、被支持部１０２は、周縁部１０１のうち貯液部１１０の上側に位置する部分の、幅方向の端部近傍に位置していてもよい。
【００２０】
図１に示すように、貯液バッグ１００には、周縁部１０１によって周りを囲まれ、液体１を貯留可能な貯液部１１０が形成されている。貯液部１１０は、上部領域１１１と、下部領域１１２と、上部領域１１１と下部領域１１２とを互いに接続する狭窄領域１１３とを含んでいる。
【００２１】
上部領域１１１は、貯液バッグ１００を吊り下げた状態において、貯液部１１０のうち上側に位置する領域であり、狭窄領域１１３より上方に位置している。
【００２２】
下部領域１１２は、貯液バッグ１００を吊り下げた状態において、貯液部１１０のうち下側に位置する領域であり、狭窄領域１１３より下方に位置している。下部領域１１２は、チューブ取付部１２０と隣接している。
【００２３】
本実施形態において、貯液バッグ１００を正面側からみたときに、下部領域１１２の最大幅は、上部領域１１１の最大幅と略同一である。下部領域１１２の容積は、上部領域１１１の容積より小さい。下部領域１１２の容積は、上部領域１１１の容積の１／２０以上１／３以下であることが好ましい。
【００２４】
本実施形態においては、図１に示すように、狭窄領域１１３は、周縁部１０１によって、貯液部１１０がくびれて狭窄している部分である。より具体的には、狭窄領域１１３は、上部領域１１１と下部領域１１２との間を仕切るように貯液バッグ１００の幅が最も狭くなっている部分である。狭窄領域１１３の最小幅Ｗ１は、上部領域１１１の最大幅Ｗ２の１／１０以上２／３以下であることが好ましい。狭窄領域１１３は、貯液部１１０の幅方向の一方側の端部に形成されている。
【００２５】
図１に示すように、チューブ取付部１２０は、周縁部１０１に設けられている。チューブ取付部１２０は、貯液バッグ１００の外側と、貯液部１１０とを連通する貫通孔である。具体的には、チューブ取付部１２０は、貯液バッグ１００を構成する２枚のフィルムの各々の周縁のうち、互いに溶着されていない部分である。
【００２６】
本実施形態においては、チューブ取付部１２０は、貯液バッグ１００を吊り下げた状態において、周縁部１０１のうち貯液部１１０の下側に位置する部分の幅方向の端部近傍に配置されている。チューブ取付部１２０は、貯液バッグ１００を吊り下げた状態において、狭窄領域１１３の下方に位置しないように配置される。なお、チューブ取付部１２０は、下部領域１１２と隣接するとともに、貯液バッグ１００を吊り下げた状態において狭窄領域１１３の下方に位置していなければ、配置箇所は特に限定されない。
【００２７】
図１に示すように、貯液バッグ１００は、重量計１１に支持部１０を介して吊り下げられる。重量計１１は、貯液バッグ１００の重量を測定する。重量計１１の測定値の変化に基づいて、貯液バッグ１００に貯留されている液体の重量を算出することができる。
【００２８】
図１に示すように、チューブ取付部１２０に、チューブ２０が挿入されて固定される。具体的には、チューブ２０は、チューブ２０の外周側と、貯液バッグ１００を構成する２枚のフィルムの各々の周縁とが、互いに溶着されることにより、チューブ取付部１２０に固定される。
【００２９】
このようにして、チューブ取付部１２０には、貯液部１１０と接続されるチューブ２０が取り付けられる。なお、チューブ２０は、チューブコネクタを介してチューブ取付部１２０に取付けられてもよい。貯液バッグ１００を吊り下げた状態において、チューブ２０の先端部は、上下方向に延在しつつ下部領域１１２内に位置する。
【００３０】
図１に示すように、チューブ２０が取り付けられた貯液バッグ１００が吊り下げられた状態において、狭窄領域１１３は、チューブ取付部１２０の上方に位置していない。その結果、チューブ取付部１２０に隣接している部分の下部領域１１２と、下部領域１１２の当該部分の上方に位置する上部領域１１１との間に、隙間Ｇが形成されている。
【００３１】
本実施形態に係る貯液バッグ１００は、チューブ２０によって押し上げられることがある。図２は、本発明の実施形態１に係る貯液バッグが、チューブによって押上げられた状態を示す斜視図である。
【００３２】
図２に示すように、貯液バッグ１００がチューブ２０によって押上げられた状態においては、チューブ２０の押上げ力は、チューブ取付部１２０を通じて下部領域１１２に作用する。チューブ取付部１２０の上方には、狭窄領域１１３が位置していないため、下部領域１１２に作用した押上げ力は、上部領域１１１には直接作用しない。
【００３３】
具体的には、チューブ取付部１２０に隣接している部分の下部領域１１２に作用した押上げ力によって当該部分が押し上げられた際に、隙間Ｇが緩衝領域として作用し、押上げ力は上部領域１１１に直接作用することができず、狭窄領域１１３に迂回して上部領域１１１に作用することになる。
【００３４】
上部領域１１１に押上げ力が直接作用しないようにすることにより、押上げ力によって上部領域１１１の重量が差し引かれて重量計１１にて測定されることによる測定誤差を低減することができる。下部領域１１２の容積は、上部領域１１１の容積より小さいため、押上げ力によって下部領域１１２の重量が差し引かれて重量計１１にて測定されることによる測定誤差は、押上げ力が上部領域１１１に直接作用した場合の測定誤差に比較して小さい。よって、本実施形態に係る貯液バッグ１００においては、チューブ２０の押上げによる、貯液バッグ１００の重量の測定誤差を低減することができる。
【００３５】
下部領域１１２の容積が上部領域１１１の容積の１／２０以上１／３以下である場合には、押上げ力によって下部領域１１２の重量が差し引かれて重量計１１にて測定されることによる測定誤差を効果的に低減することができる。その結果、チューブ２０の押上げによる、貯液バッグ１００の重量の測定誤差を効果的に低減できる。
【００３６】
狭窄領域１１３の最小幅Ｗ１が上部領域１１１の最大幅Ｗ２の１／１０以上２／３以下である場合、チューブ取付部１２０に隣接している部分の下部領域１１２に作用した押上げ力によって当該部分が押し上げられた際に、隙間Ｇを緩衝領域として効果的に作用させることができる。これにより、押上げ力が上部領域１１１に伝わることを効果的に抑制することができる。その結果、チューブ２０の押上げによる、貯液バッグ１００の重量の測定誤差を効果的に低減できる。
【００３７】
（実施形態２）
以下、本発明の実施形態２に係る貯液バッグについて説明する。本発明の実施形態２に係る貯液バッグは、狭窄部およびチューブ取付部の配置が主に、実施形態１に係る貯液バッグ１００と異なる。よって、本発明の実施形態１に係る貯液バッグと同様である構成については説明を繰り返さない。
【００３８】
図３は、本発明の実施形態２に係る貯液バッグにおいて、チューブが貯液バッグから垂れ下がっている状態を示す斜視図である。図３に示すように、本発明の実施形態２に係る貯液バッグ２００は、周縁部２０１と、貯液部２１０と、チューブ取付部２２０とを備えている。本実施形態において、周縁部２０１は、外側周縁部２０１ａと、内側周縁部２０１ｂとから構成されている。
【００３９】
本実施形態に係る貯液バッグ２００は、開口部が形成された２枚のフィルムの各々の周縁および開口部の縁部を互いに溶着させることにより形成されている。外側周縁部２０１ａは、２枚のフィルムの各々が周縁において互いに接着している部分である。内側周縁部２０１ｂは、２枚のフィルムの各々が開口部の縁部において互いに接着している部分である。
【００４０】
図３に示すように、外側周縁部２０１ａには、実施形態１に係る貯液バッグ１００の被支持部１０２と同様の被支持部２０２が設けられている。本実施形態においては、被支持部２０２は、外側周縁部２０１ａのうち貯液部２１０の上側に位置する部分の幅方向の、略中央に位置している。なお、被支持部２０２は、外側周縁部２０１ａのうち貯液部２１０の上側に位置する部分の、幅方向の端部近傍に位置していてもよい。
【００４１】
図３に示すように、貯液バッグ２００には、外側周縁部２０１ａおよび内側周縁部２０１ｂによって周りを囲まれ、液体１を貯留可能な貯液部２１０が形成されている。貯液部２１０は、上部領域２１１と、下部領域２１２と、上部領域２１１と下部領域２１２とを互いに接続する狭窄領域２１３とを含んでいる。本実施形態において、狭窄領域２１３は、第１狭窄領域２１３ａと第２狭窄領域２１３ｂとから構成されている。
【００４２】
上部領域２１１は、貯液バッグ２００を吊り下げた状態において、貯液部２１０のうち上側に位置する領域であり、狭窄領域２１３より上方に位置している。
【００４３】
下部領域２１２は、貯液バッグ２００を吊り下げた状態において、貯液部２１０のうち下側に位置する領域であり、狭窄領域２１３より下方に位置している。下部領域２１２は、チューブ取付部２２０と隣接している。
【００４４】
本実施形態において、貯液バッグ２００を正面側からみたときに、下部領域２１２の最大幅は、上部領域２１１の最大幅と略同一である。下部領域２１２の容積は、上部領域２１１の容積より小さい。下部領域２１２の容積は、上部領域２１１の容積の１／２０以上１／３以下であることが好ましい。
【００４５】
本実施形態においては、図３に示すように、狭窄領域２１３は、内側周縁部２０１ｂによって、貯液部２１０が狭窄している部分である。より具体的には、狭窄領域２１３は、上部領域２１１と下部領域２１２との間を仕切るように貯液バッグ２００の幅が最も狭くなっている部分である。狭窄領域２１３の最小幅(Ｗ３＋Ｗ４)は、上部領域２１１の最大幅Ｗ２の１／１０以上２／３以下であることが好ましい。
【００４６】
本実施形態においては、第１狭窄領域２１３ａの最小幅Ｗ３と、第２狭窄領域２１３ｂの最小幅Ｗ４とが、互いに等しい。ただし、第１狭窄領域２１３ａの最小幅Ｗ３と第２狭窄領域２１３ｂの最小幅Ｗ４とが、互いに異なっていてもよい。狭窄領域２１３の最小幅は、第１狭窄領域２１３ａの最小幅Ｗ３と第２狭窄領域２１３ｂの最小幅Ｗ４との和である。
【００４７】
図３に示すように、第１狭窄領域２１３ａおよび第２狭窄領域２１３ｂは、幅方向において互いに離間して配置されている。第１狭窄領域２１３ａは、貯液部１１０の幅方向の一方側の端部に形成されている。第２狭窄領域２１３ｂは、貯液部１１０の幅方向の他方側の端部に形成されている。
【００４８】
図３に示すように、チューブ取付部２２０は、外側周縁部２０１ａに設けられている。チューブ取付部２２０は、貯液バッグ２００の外側と、貯液部２１０とを連通する貫通孔である。具体的には、チューブ取付部２２０は、貯液バッグ２００を構成する２枚のフィルムの各々の周縁のうち、互いに溶着されていない部分である。
【００４９】
本実施形態においては、チューブ取付部２２０は、貯液バッグ２００を吊り下げた状態において、外側周縁部２０１ａのうち貯液部２１０の下側に位置する部分の幅方向の中央部近傍に配置されている。チューブ取付部２２０は、貯液バッグ２００を吊り下げた状態において、狭窄領域２１３の下方に位置しないように配置される。なお、チューブ取付部２２０は、下部領域２１２と隣接するとともに、貯液バッグ２００を吊り下げた状態において狭窄領域２１３の下方に位置していなければ、配置箇所は特に限定されない。
【００５０】
図３に示すように、チューブ２０が取り付けられた貯液バッグ２００が吊り下げられた状態において、狭窄領域２１３は、チューブ取付部２２０の上方に位置していない。その結果、チューブ取付部２２０に隣接している部分の下部領域２１２と、下部領域２１２の当該部分の上方に位置する上部領域２１１との間に、隙間Ｇが形成されている。
【００５１】
本実施形態に係る貯液バッグ２００は、チューブ２０によって押し上げられることがある。図４は、本発明の実施形態２に係る貯液バッグが、チューブによって押上げられた状態を示す斜視図である。
【００５２】
図４に示すように、貯液バッグ２００がチューブ２０によって押上げられた状態においては、チューブ２０の押上げ力は、チューブ取付部２２０を通じて下部領域２１２に作用する。チューブ取付部２２０の上方には、狭窄領域２１３が位置していないため、下部領域２１２に作用した押上げ力は、上部領域２１１には直接作用しない。
【００５３】
具体的には、チューブ取付部２２０に隣接している部分の下部領域２１２に作用した押上げ力によって当該部分が押し上げられた際に、隙間Ｇが緩衝領域として作用し、押上げ力は上部領域２１１に直接作用することができず、狭窄領域２１３に迂回して上部領域２１１に作用することになる。
【００５４】
上部領域２１１に押上げ力が直接作用しないようにすることにより、押上げ力によって上部領域２１１の重量が差し引かれて重量計１１にて測定されることによる測定誤差を低減することができる。下部領域２１２の容積は、上部領域２１１の容積より小さいため、押上げ力によって下部領域２１２の重量が差し引かれて重量計１１にて測定されることによる測定誤差は、押上げ力が上部領域２１１に直接作用した場合の測定誤差に比較して小さい。よって、本実施形態に係る貯液バッグ２００においては、チューブ２０の押上げによる、貯液バッグ２００の重量の測定誤差を低減することができる。
【００５５】
下部領域２１２の容積が上部領域２１１の容積の１／２０以上１／３以下である場合には、押上げ力によって下部領域２１２の重量が差し引かれて重量計１１にて測定されることによる測定誤差を効果的に低減することができる。その結果、チューブ２０の押上げによる、貯液バッグ２００の重量の測定誤差を効果的に低減できる。
【００５６】
狭窄領域２１３の最小幅(Ｗ３＋Ｗ４)が上部領域２１１の最大幅Ｗ２の１／１０以上２／３以下である場合、チューブ取付部２２０に隣接している部分の下部領域２１２に作用した押上げ力によって当該部分が押し上げられた際に、隙間Ｇを緩衝領域として効果的に作用させることができる。これにより、押上げ力が上部領域２１１に伝わることを効果的に抑制することができる。その結果、チューブ２０の押上げによる、貯液バッグ２００の重量の測定誤差を効果的に低減できる。
【００５７】
なお、本実施形態においては、狭窄領域２１３が２つの領域に分かれているが、狭窄領域２１３の分割数はこれに限定されない。貯液バッグ２００を吊り下げた状態において、狭窄領域２１３がチューブ取付部２２０の上方に位置していなければ、狭窄領域２１３は、３つ以上の領域に分かれていてもよい。
【００５８】
（実施形態３）
以下、本発明の実施形態３に係る貯液バッグについて説明する。本発明の実施形態３に係る貯液バッグは、狭窄領域の配置および支持態様が、実施形態１に係る貯液バッグ１００と異なる。よって、本発明の実施形態１に係る貯液バッグ１００と同様である構成については説明を繰り返さない。
【００５９】
図５は、本発明の実施形態３に係る貯液バッグにおいて、チューブが貯液バッグから垂れ下がっている状態を示す斜視図である。図５に示すように、本発明の実施形態３に係る貯液バッグ３００において、狭窄領域３１３は、貯液部３１０の幅方向の中央部に形成されている。本実施形態に係る貯液バッグ３００には、非支持部が設けられていない。ただし、貯液バッグ３００に、本発明の実施形態１と同様に、被支持部１０２が設けられていてもよい。
【００６０】
図５に示すように、本実施形態に係る貯液バッグ３００は、箱状支持部３０によって支持されている。箱状支持部は、周面３１と、周面３１の下端に接続された底面３２とを有している。箱状支持部３０は、底面３２において取出口３３を有している。箱状支持部３０は、周面３１の上端から下端まで延在する切欠部３４を有している。箱状支持部３０の上部には、貯液バッグ３００を出し入れ可能な開口部３５が設けられている。切欠部３４は、下端において取出口３３と連続しており、上端において開口部３５と連続している。箱状支持部３０に切欠部３４が設けられていることにより、液体１を貯留した貯液バッグ３００の一部が切欠部３４から膨出可能とされている。
【００６１】
箱状支持部３０は、図示しない重量計と接続されている。これにより、箱状支持部３０に収容されて支持されている貯液バッグ３００の重量を、当該重量計にて測定することができる。
【００６２】
箱状支持部３０に収容されている状態において、貯液バッグ３００の狭窄領域３１３は、取出口３３内から下方に延在している。本実施形態に係る貯液バッグ３００においては、上部領域３１１に対応する部分が箱状支持部３０内に収容され、狭窄領域３１３および下部領域１１２の各々に対応する部分が箱状支持部３０の下方に位置している。下部領域１１２と箱状支持部３０の底面３２との間に、隙間Ｇ１が形成されている。
【００６３】
本実施形態に係る貯液バッグ３００においては、チューブ取付部１２０に隣接している部分の下部領域１１２に作用した押上げ力によって当該部分が押し上げられた際に、隙間Ｇ１が緩衝領域として作用し、押上げ力は箱状支持部３０に直接作用することができず、狭窄領域３１３に迂回して上部領域３１１に作用することになる。
【００６４】
箱状支持部３０に押上げ力が直接作用しないようにすることにより、押上げ力によって上部領域３１１の重量が差し引かれて重量計にて測定されることによる測定誤差を低減することができる。下部領域１１２の容積は、上部領域３１１の容積より小さいため、押上げ力によって下部領域１１２の重量が差し引かれて重量計にて測定されることによる測定誤差は、押上げ力が箱状支持部３０に直接作用して上部領域３１１の重量が差し引かれた場合の測定誤差に比較して小さい。よって、本実施形態に係る貯液バッグ３００においては、チューブ２０の押上げによる、貯液バッグ３００の重量の測定誤差を低減することができる。
【００６５】
（実施形態４）
以下、本発明の実施形態４に係る貯液バッグについて説明する。本発明の実施形態４に係る貯液バッグは、チューブ取付部の配置が、実施形態１に係る貯液バッグ１００と異なる。よって、本発明の実施形態１に係る貯液バッグと同様である構成については説明を繰り返さない。
【００６６】
図６は、本発明の実施形態４に係る貯液バッグにおいて、チューブが貯液バッグから垂れ下がっている状態を示す斜視図である。図６に示すように、本発明の実施形態４に係る貯液バッグ４００においては、チューブ取付部４２０は、貯液バッグ４００を吊り下げた状態において、周縁部４０１のうち、下部領域４１２の幅方向の端部に配置されている。図６に示すように、貯液バッグ４００を吊り下げた状態において、チューブ４０の先端部は、貯液バッグ４００の幅方向に延在しつつ下部領域４１２内に位置する。
【００６７】
本実施形態に係る貯液バッグ４００においては、チューブ取付部４２０においてチューブ４０が貯液バッグ４００の幅方向に延在しているため、実施形態１に係る貯液バッグ１００に比較して、チューブ取付部４２０を通じて下部領域４１２に作用するチューブ４０の押上げ力を低減することができる。
【００６８】
その結果、下部領域４１２から狭窄領域４１３に迂回して上部領域１１１に作用する押上げ力を低減することができる。上部領域１１１に作用する押上げ力を低減することにより、押上げ力によって上部領域１１１の重量が差し引かれて重量計にて測定されることによる測定誤差を低減することができる。よって、本実施形態に係る貯液バッグ４００においては、チューブ４０の押上げによる、貯液バッグ４００の重量の測定誤差をさらに低減することができる。
【００６９】
上述した実施形態の説明において、組み合わせ可能な構成を相互に組み合わせてもよい。
【００７０】
今回開示した上記実施形態はすべての点で例示であって、限定的な解釈の根拠となるものではない。したがって、本発明の技術的範囲は、上記した実施形態のみによって解釈されるものではなく、特許請求の範囲の記載に基づいて画定される。また、特許請求の範囲と均等の意味および範囲内でのすべての変更が含まれる。
【符号の説明】
【００７１】
１  液体、１０  支持部、１１  重量計、２０，４０  チューブ、３０  箱状支持部、３１  周面、３２  底面、３３  取出口、３４  切欠部、３５  開口部、１００，２００，３００，４００  貯液バッグ、１０１，２０１，４０１  周縁部、１０２，２０２  被支持部、１１０，２１０，３１０  貯液部、１１１，２１１，３１１  上部領域、１１２，２１２，３１２，４１２  下部領域、１１３，２１３，３１３，４１３  狭窄領域、１２０，２２０，４２０  チューブ取付部、２０１ａ  外側周縁部、２０１ｂ  内側周縁部、２１３ａ  第１狭窄領域、２１３ｂ  第２狭窄領域、Ｇ，Ｇ１  隙間。
【図１】
2020058413.tif 000003
【図２】
2020058413.tif 000004
【図３】
2020058413.tif 000005
【図４】
2020058413.tif 000006
【図５】
2020058413.tif 000007
【図６】
2020058413.tif 000008